(57)【要約】      （修正有）【課題】先端工具を備える工具に使用されるカバーにおいて、吸引空気による吸引力を調整することが可能な技術を提供する。【解決手段】集塵カバー２は、先端工具を備える工具に使用され、集塵カバーは、先端工具を少なくとも部分的に覆う内側カバー５６と、内側カバーを少なくとも部分的に覆う外側カバー５４を備える。集塵カバーでは、内側カバーと外側カバーの間の空間が、吸引空気が流れる吸引流路６８を構成する。集塵カバーでは、内側カバーと外側カバーの相対的な位置関係を変更することで、吸引流路の形状を変更可能である。【選択図】図６
2020023006.tif 000002
【特許請求の範囲】
【請求項１】
先端工具を備える工具に使用されるカバーであって、
前記先端工具を少なくとも部分的に覆う内側カバーと、
前記内側カバーを少なくとも部分的に覆う外側カバーを備えており、
前記内側カバーと前記外側カバーの間の空間が、吸引空気が流れる吸引流路を構成しており、
前記内側カバーと前記外側カバーの相対的な位置関係を変更することで、前記吸引流路の形状を変更可能なカバー。
【請求項２】
前記外側カバーが前記内側カバーに対して、第１方向に傾動可能である、請求項１のカバー。
【請求項３】
前記外側カバーが前記内側カバーに対して、前記第１方向に直交する第２方向にも傾動可能である、請求項２のカバー。
【請求項４】
前記外側カバーが前記内側カバーに対して傾動したときに、弾性復元力により、前記外側カバーの前記内側カバーに対する傾斜角度を小さくするように前記外側カバーを付勢する弾性部材をさらに備える、請求項２または３のカバー。
【請求項５】
原動機と、
前記原動機に接続される動力伝達機構と、
前記原動機および前記動力伝達機構を収容するハウジングと、
前記動力伝達機構に接続されており、先端工具を保持する先端工具保持部と、
カバーを備えており、
前記カバーが、
前記先端工具を少なくとも部分的に覆う内側カバーと、
前記内側カバーを少なくとも部分的に覆う外側カバーを備えており、
前記内側カバーと前記外側カバーの間の空間が、吸引空気が流れる吸引流路を構成しており、
前記内側カバーと前記外側カバーの相対的な位置関係を変更することで、前記吸引流路の形状を変更可能な工具。
【発明の詳細な説明】
【技術分野】
【０００１】
本明細書で開示する技術は、カバーおよび工具に関する。
【背景技術】
【０００２】
特許文献１には、先端工具を備える工具に使用されるカバーが開示されている。このカバーは、先端工具を少なくとも部分的に覆っている。このカバーでは、カバーの内側の空間が、吸引空気が流れる吸引流路を構成している。このカバーでは、カバーに接続された集塵機によって吸引空気を発生させて、先端工具がワークを加工する際に生じる粉塵を収集することができる。
【先行技術文献】
【特許文献】
【０００３】
【特許文献１】特開２０１０−１７３００１号公報
【発明の概要】
【発明が解決しようとする課題】
【０００４】
上記のようなカバーにおいて、吸引空気による吸引力を調整したい場合がある。本明細書では、先端工具を備える工具に使用されるカバーにおいて、吸引空気による吸引力を調整することが可能な技術を提供する。
【課題を解決するための手段】
【０００５】
本明細書はカバーを開示する。前記カバーは、先端工具を備える工具に使用されてもよい。前記カバーは、前記先端工具を少なくとも部分的に覆う内側カバーと、前記内側カバーを少なくとも部分的に覆う外側カバーを備えていてもよい。前記カバーでは、前記内側カバーと前記外側カバーの間の空間が、吸引空気が流れる吸引流路を構成してもよい。前記カバーでは、前記内側カバーと前記外側カバーの相対的な位置関係を変更することで、前記吸引流路の形状を変更可能であってもよい。
【０００６】
本明細書は工具も開示する。前記工具は、原動機と、前記原動機に接続される動力伝達機構と、前記原動機および前記動力伝達機構を収容するハウジングと、前記動力伝達機構に接続されており、先端工具を保持する先端工具保持部と、カバーを備えていてもよい。前記カバーは、前記先端工具を少なくとも部分的に覆う内側カバーと、前記内側カバーを少なくとも部分的に覆う外側カバーを備えていてもよい。前記工具では、前記内側カバーと前記外側カバーの間の空間が、吸引空気が流れる吸引流路を構成してもよい。前記工具では、前記内側カバーと前記外側カバーの相対的な位置関係を変更することで、前記吸引流路の形状を変更可能であってもよい。
【０００７】
上記のカバーや工具によれば、内側カバーと外側カバーの相対的な位置関係を変更することで、吸引空気が流れる吸引流路の形状を変更して、吸引流路の流路抵抗を変化させることができる。これによって、カバーにおける吸引空気による吸引力を調整することができる。
【図面の簡単な説明】
【０００８】
【図１】実施例の集塵カバー２を取り付けたグラインダ４を前方左方上方から見た斜視図である。
【図２】実施例の集塵カバー２を取り付けたグラインダ４の縦断面図である。
【図３】実施例の集塵カバー２の斜視図である。
【図４】実施例の集塵カバー２の分解斜視図である。
【図５】実施例の集塵カバー２を取り付けたグラインダ４において、外側カバー５４に外力が作用していない状態での、前方の部分の縦断面図である。
【図６】実施例の集塵カバー２を取り付けたグラインダ４において、外側カバー５４の前端に押し上げる方向の外力が作用している状態での、前方の部分の縦断面図である。
【発明を実施するための形態】
【０００９】
１つまたはそれ以上の実施形態において、カバーは、先端工具を備える工具に使用されてもよい。前記カバーは、前記先端工具を少なくとも部分的に覆う内側カバーと、前記内側カバーを少なくとも部分的に覆う外側カバーを備えていてもよい。前記カバーでは、前記内側カバーと前記外側カバーの間の空間が、吸引空気が流れる吸引流路を構成してもよい。前記カバーでは、前記内側カバーと前記外側カバーの相対的な位置関係を変更することで、前記吸引流路の形状を変更可能であってもよい。
【００１０】
１つまたはそれ以上の実施形態において、工具は、原動機と、前記原動機に接続される動力伝達機構と、前記原動機および前記動力伝達機構を収容するハウジングと、前記動力伝達機構に接続されており、先端工具を保持する先端工具保持部と、カバーを備えていてもよい。前記カバーは、前記先端工具を少なくとも部分的に覆う内側カバーと、前記内側カバーを少なくとも部分的に覆う外側カバーを備えていてもよい。前記工具では、前記内側カバーと前記外側カバーの間の空間が、吸引空気が流れる吸引流路を構成してもよい。前記工具では、前記内側カバーと前記外側カバーの相対的な位置関係を変更することで、前記吸引流路の形状を変更可能であってもよい。
【００１１】
上記のカバーや工具によれば、内側カバーと外側カバーの相対的な位置関係を変更することで、吸引空気が流れる吸引流路の形状を変更して、吸引流路の流路抵抗を変化させることができる。これによって、カバーにおける吸引空気による吸引力を調整することができる。
【００１２】
１つまたはそれ以上の実施形態において、前記外側カバーが前記内側カバーに対して、第１方向に傾動可能であってもよい。
【００１３】
例えば、第１方向に関して、外側カバーの一方の端部が内側カバーから遠ざかり、外側カバーの他方の端部が内側カバーに近づくように、外側カバーが内側カバーに対して傾動すると、外側カバーの一方の端部の近傍では、外側カバーの他方の端部の近傍に比べて、吸引流路の幅が広くなり、吸引流路の流路抵抗が低くなる。このため、外側カバーの一方の端部の近傍における吸引力を、外側カバーの他方の端部の近傍における吸引力よりも強くすることができる。上記の構成によれば、カバーにおける吸引空気による吸引力を、局所的に強くすることができる。
【００１４】
１つまたはそれ以上の実施形態において、前記外側カバーが前記内側カバーに対して、前記第１方向に直交する第２方向にも傾動可能であってもよい。
【００１５】
外側カバーが内側カバーに対して直交する二方向に傾動可能である場合、外側カバーが内側カバーから最も遠ざかり、吸引流路の幅が最も広くなる位置、すなわち吸引流路の流路抵抗が最も低くなる位置を、周方向の任意の位置とすることが可能となる。上記の構成によれば、周方向の任意の位置における吸引力を、他の箇所における吸引力よりも強くすることができる。
【００１６】
１つまたはそれ以上の実施形態において、前記カバーは、前記外側カバーが前記内側カバーに対して傾動したときに、弾性復元力により、前記外側カバーの前記内側カバーに対する傾斜角度を小さくするように前記外側カバーを付勢する弾性部材をさらに備えてもよい。
【００１７】
上記の構成によれば、外側カバーを内側カバーに対して傾斜させることで変化した吸引空気による吸引力を、弾性部材による弾性復元力を利用して、外側カバーが内側カバーに対して傾斜していない時の吸引空気による吸引力に、自動的に復帰させることができる。
【００１８】
（実施例）
図１に示すように、本実施例の集塵カバー２は、グラインダ４に取り付けて使用される。グラインダ４は、ダイヤモンドカップ６（図２参照）の回転によって、コンクリート、ブロック、レンガ、石材等のワークの研削を行うことができる。なお、以下の説明では、グラインダ４の長手方向を前後方向といい、ダイヤモンドカップ６の回転軸方向を上下方向といい、前後方向と上下方向に直交する方向を左右方向という。
【００１９】
図２に示すように、グラインダ４は、本体ハウジング８と、ギヤハウジング１０と、ベアリングボックス１２を備えている。
【００２０】
本体ハウジング８の前方内部には、モータ１４が収容されている。モータ１４は、前後方向に伸びる出力軸１６を有している。出力軸１６は、ベアリング１８，２０を介して、本体ハウジング８に回転可能に支持されている。本体ハウジング８の後方内部には、電源回路２２が収容されている。電源回路２２には、外部の電源から電源コード２４を介して電力が供給される。電源回路２２は、ユーザがスイッチ２６（図１等参照）をオンに操作すると、モータ１４に電力を供給し、ユーザがスイッチ２６をオフに操作すると、モータ１４への電力の供給を停止する。モータ１４は、電源回路２２から供給される電力によって、出力軸１６を回転させる。
【００２１】
ギヤハウジング１０は、本体ハウジング８の前方に取り付けられている。ギヤハウジング１０の内部には、互いに噛み合うように配置された第１ベベルギヤ２８と第２ベベルギヤ３０が収容されている。第１ベベルギヤ２８は、出力軸１６の前方端部に固定されている。第２ベベルギヤ３０は、上下方向に伸びるスピンドル３２の上方端部に固定されている。以下では、第１ベベルギヤ２８と第２ベベルギヤ３０を総称して、単にベベルギヤ３４ともいう。ベベルギヤ３４は、モータ１４の回転を減速してスピンドル３２に伝達する減速機構であり、動力伝達機構ということができる。ギヤハウジング１０は、ベアリング３６を介して、スピンドル３２の上方端部を回転可能に支持している。図１に示すように、ギヤハウジング１０の上面には、シャフトロック３８が設けられている。ユーザがシャフトロック３８を下方に押し込むと、第２ベベルギヤ３０の回転が禁止されて、スピンドル３２の回転が禁止される。
【００２２】
図２に示すように、ベアリングボックス１２は、ギヤハウジング１０の下方に取り付けられている。ベアリングボックス１２は、ベアリング４０，４２を介して、スピンドル３２を回転可能に支持している。スピンドル３２は、上下方向に沿った回転軸に関して、ベアリングボックス１２に対して回転可能である。スピンドル３２の下方端部には、インナフランジ４４とアウタフランジ４６を介して、ダイヤモンドカップ６を取り付け可能である。インナフランジ４４は、スピンドル３２に嵌合されている。ダイヤモンドカップ６は、インナフランジ４４の下方からスピンドル３２に取り付けられて、インナフランジ４４に嵌合されている。アウタフランジ４６は、スピンドル３２の下方端部からスピンドル３２に螺着されて、インナフランジ４４との間でダイヤモンドカップ６を挟持する。グラインダ４において、モータ１４が回転すると、スピンドル３２とともにダイヤモンドカップ６が回転軸周りに回転することで、ワークの研削を行うことができる。スピンドル３２は、先端工具であるダイヤモンドカップ６を保持する先端工具保持部ということもできる。なお、以下の説明では、本体ハウジング８、ギヤハウジング１０およびベアリングボックス１２を総称して、単にハウジング４８ともいう。
【００２３】
集塵カバー２は、ベアリングボックス１２に形成された略円筒形状のカバー取り付け部５０に取り付けられている。集塵カバー２は、グラインダ４に取り付けられた時に、ダイヤモンドカップ６の周囲を覆う形状に形成されている。集塵カバー２は、グラインダ４に取り付けられた時に、スピンドル３２の周囲を覆う形状に形成されているということもできる。集塵カバー２は、ダイヤモンドカップ６がワークを研削する際に、周囲に切削粉が飛び散ることを防止するとともに、切削粉を集塵機（図示せず）によって収集するために使用される。
【００２４】
図３、図４に示すように、集塵カバー２は、ベース５２と、外側カバー５４と、内側カバー５６を備えている。
【００２５】
ベース５２は、バンド５８と、ベースプレート６０を備えている。バンド５８は、帯状の平板を円筒形状に湾曲させた湾曲部５８ａと、湾曲部５８ａの両端から外側に向けて伸びる一対の平板部５８ｂと、一対の平板部５８ｂの間隔を調整する締結具５８ｃを備えている。ベースプレート６０は、略円形状の開口部６０ａを有する略正方形状の平板部６０ｂと、開口部６０ａの縁に沿って上方に屈曲する半円筒形状の半円筒部６０ｃを備えている。平板部６０ｂの四隅の近傍には、ガイド孔６０ｄが形成されている。バンド５８とベースプレート６０は、半円筒部６０ｃの外周面と湾曲部５８ａの内周面を溶接することによって、互いに固定されている。集塵カバー２は、締結具５８ｃを緩めてバンド５８を拡径させた状態で、バンド５８をベアリングボックス１２のカバー取り付け部５０の外周面に取り付け、その後に締結具５８ｃを締めてバンド５８を縮径させることで、ベアリングボックス１２に対して固定される。
【００２６】
外側カバー５４は、外側カバー本体５４ａと、ノズル５４ｂを備えている。外側カバー本体５４ａとノズル５４ｂは、一体的に形成されている。図４に示すように、外側カバー本体５４ａは、略円形状の開口部５４ｃを有する平板部５４ｄと、平板部５４ｄの外側端部から外側下方に屈曲した円錐台部５４ｅと、円錐台部５４ｅの外側端部から下方に屈曲した略円筒形状の円筒部５４ｆを備えている。開口部５４ｃには、弾性樹脂からなる略円環形状のシール部材６２が設けられている。平板部５４ｄの上面には、上方に向けて突出する４つのガイドピン５４ｇが形成されている。ガイドピン５４ｇは、ベース５２のガイド孔６０ｄに対応する位置に配置されている。ガイドピン５４ｇの外径は、ベース５２のガイド孔６０ｄの内径に比べて小さく、ガイドピン５４ｇがベース５２のガイド孔６０ｄに挿入された状態では、ガイドピン５４ｇの外周面とガイド孔６０ｄの内周面の間に隙間が形成される。このため、ガイドピン５４ｇがガイド孔６０ｄに挿入された状態では、外側カバー５４はベース５２に対して、スピンドル３２の回転軸周りに回転することは禁止されるものの、上下方向に移動することや、前後方向や左右方向に傾動することは許容される。それぞれのガイドピン５４ｇには、圧縮ばね６４が取り付けられている。圧縮ばね６４は、ベース５２の平板部６０ｂの下面と、外側カバー５４の平板部５４ｄの上面に当接している。圧縮ばね６４は、ベース５２に対して外側カバー５４を下方に向けて付勢する。円筒部５４ｆの下端には、集塵ブラシ（図示せず）を着脱可能である。ノズル５４ｂの内部の空間は、外側カバー本体５４ａの内側の空間と連通している。ノズル５４ｂには、集塵機（図示せず）から伸びるホース（図示せず）を取り付けることができる。
【００２７】
内側カバー５６は、略円形状の開口部５６ａを有する略円形状の第１平板部５６ｂと、開口部５６ａの縁に沿って上方に屈曲する半円筒形上の半円筒部５６ｃと、第１平板部５６ｂの外側端部から下方に屈曲した第１円筒部５６ｄと、第１円筒部５６ｄの下側端部から外側に屈曲した略円形状の第２平板部５６ｅと、第２平板部５６ｅの外側端部から外側下方に屈曲した円錐台部５６ｆと、円錐台部５６ｆの外側端部から下方に屈曲した略円筒形状の円筒部５６ｇを備えている。内側カバー５６の第２平板部５６ｅの上面には、上方に向けて突出する複数のストッパピン５６ｈが形成されている。内側カバー５６は、第１円筒部５６ｄを外側カバー５４の開口部５４ｃに挿入した状態で、締結具６６によってベース５２に固定されている。締結具６６は、ベース５２の平板部６０ｂと、内側カバー５６の第１平板部５６ｂを締結する。第１円筒部５６ｄは、外側カバー５４のシール部材６２に対して摺動可能である。図３に示すように、内側カバー５６がベース５２に取り付けられた時に、内側カバー５６の半円筒部５６ｃは、ベース５２の開口部６０ａを貫通して、バンド５８と平板部６０ｂの間に形成された隙間を遮蔽する。
【００２８】
図５、図６に示すように、内側カバー５６は、集塵カバー２がグラインダ４に取り付けられた時に、ダイヤモンドカップ６の上方を覆う形状に形成されている。外側カバー５４は、内側カバー５６の上方を覆う形状に形成されている。
【００２９】
図５に示すように、集塵カバー２に外力が作用していない状態では、圧縮ばね６４の付勢力によって、外側カバー５４は、平板部５４ｄの下面が内側カバー５６のストッパピン５６ｈに当接する位置まで押し下げられている。集塵カバー２においては、外側カバー５４の内面と内側カバー５６の外面の間の空間は、ノズル５４ｂの内部の空間に連通する吸引流路６８を構成している。ダイヤモンドカップ６がワークを研削する際に生じる研削粉は、吸引流路６８を流れる吸引空気に乗ってノズル５４ｂに到達し、ノズル５４ｂに接続されたホース（図示せず）を介して集塵機（図示せず）に収集される。
【００３０】
図５に示すように、外側カバー５４に外力が作用していない状態では、平板部５４ｄの下面が内側カバー５６の全てのストッパピン５６ｈに当接しており、外側カバー５４は内側カバー５６に対して傾斜していない。この状態では、外側カバー５４の内面と内側カバー５６の外面の間の幅、すなわち、吸引流路６８の幅は、周方向に略均等となる。この場合、吸引流路６８の流路抵抗が、周方向に略均等となるので、集塵機（図示せず）により生じる吸引空気の流量は、周方向に略均等となる。従って、ダイヤモンドカップ６がワークを研削する際に生じる研削粉を、周方向に略均等に吸引することができる。
【００３１】
図６に示すように、例えばグラインダ４をワークに対して斜めに保持して、外側カバー５４の前方の端部をワークに対して押し当てると、外側カバー５４の前方の部分は圧縮ばね６４の付勢力に抗して上方に押し上げられる。この場合、外側カバー５４の後方の部分は圧縮ばね６４の付勢力によって下方に押し下げられているので、外側カバー５４が内側カバー５６に対して前後方向に傾斜した状態となる。この場合、集塵カバー２の前方の部分では、外側カバー５４の内面と内側カバー５６の外面との間の幅が広がり、集塵カバー２の後方の部分では、外側カバー５４の内面と内側カバー５６の外面との間の幅が狭くなる。このため、集塵カバー２の前方の部分では、吸引流路６８の幅が広くなることで、吸引流路６８の流路抵抗が低くなる。逆に、集塵カバー２の後方の部分では、吸引流路６８の幅が狭くなることで、吸引流路６８の流路抵抗が高くなる。従って、集塵機（図示せず）により生じる吸引空気の流量は、集塵カバー２の前方の部分の吸引流路６８では大きくなり、集塵カバー２の後方の部分の吸引流路６８では小さくなる。従って、集塵カバー２の前方の部分において、吸引空気による吸引力を局所的に強くすることができる。図６に示すように、グラインダ４をワークに対して斜めに保持している状態では、ダイヤモンドカップ６の前方の端部がワークに接触するため、集塵カバー２の前方の部分では多くの研削粉が生じる。上記の構成によれば、研削粉が多く生じる箇所の近傍における吸引空気の吸引力を局所的に強くすることで、研削粉を効率よく収集することができる。
【００３２】
なお、図６では外側カバー５４の前方の端部を押し上げた状態について説明したが、これ以外にも、例えば、外側カバー５４の後方の端部、右方の端部、左方の端部、あるいは周方向の任意の位置を、上方に押し上げることができる。この場合、外側カバー５４を押し上げた箇所では、吸引流路６８の幅が広くなって吸引流路６８の流路抵抗が低くなり、その反対側の箇所では、吸引流路６８の幅が狭くなって吸引流路６８の流路抵抗が高くなる。この場合、外側カバー５４を押し上げた箇所の近傍で吸引空気の吸引力を局所的に強くして、研削粉を吸引しやすくすることができる。
【００３３】
あるいは、ユーザが外側カバー５４を把持して、外側カバー５４を内側カバー５６に対して傾斜させることなく、外側カバー５４を内側カバー５６に対して上方に移動させてもよい。この場合、周方向の全ての位置において、吸引流路６８の幅が広くなることで、吸引流路６８の流路抵抗が低くなる。従って、集塵機（図示せず）により生じる吸引空気の流量を、集塵カバー２全体で大きくすることができる。
【００３４】
以上のように、１つまたはそれ以上の実施形態において、集塵カバー２（カバーの例）は、ダイヤモンドカップ６（先端工具の例）を備えるグラインダ４（工具の例）に使用される。集塵カバー２は、ダイヤモンドカップ６を少なくとも部分的に覆う内側カバー５６と、内側カバー５６を少なくとも部分的に覆う外側カバー５４を備えている。集塵カバー２では、内側カバー５６と外側カバー５４の間の空間が、吸引空気が流れる吸引流路６８を構成する。集塵カバー２では、内側カバー５６と外側カバー５４の相対的な位置関係を変更することで、吸引流路６８の形状を変更可能である。
【００３５】
１つまたはそれ以上の実施形態において、グラインダ４（工具の例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６を保持するスピンドル３２（先端工具保持部の例）と、集塵カバー２（カバーの例）を備えている。集塵カバー２は、ダイヤモンドカップ６を少なくとも部分的に覆う内側カバー５６と、内側カバー５６を少なくとも部分的に覆う外側カバー５４を備えている。グラインダ４では、内側カバー５６と外側カバー５４の間の空間が、吸引空気が流れる吸引流路６８を構成する。グラインダ４では、内側カバー５６と外側カバー５４の相対的な位置関係を変更することで、吸引流路６８の形状を変更可能である。
【００３６】
上記の集塵カバー２やグラインダ４によれば、内側カバー５６と外側カバー５４の相対的な位置関係を変更することで、吸引空気が流れる吸引流路６８の形状を変更して、吸引流路６８の流路抵抗を変化させることができる。これによって、集塵カバー２における吸引空気による吸引力を調整することができる。
【００３７】
１つまたはそれ以上の実施形態において、外側カバー５４は内側カバー５６に対して、前後方向（第１方向の例）に傾動可能である。
【００３８】
例えば、前後方向に関して、外側カバー５４の前方の端部が内側カバー５６から遠ざかり、外側カバー５４の後方の端部が内側カバー５６に近づくように、外側カバー５４が内側カバー５６に対して傾動すると、外側カバー５４の前方の端部の近傍では、外側カバー５４の後方の端部の近傍に比べて、吸引流路６８の幅が広くなり、吸引流路６８の流路抵抗が低くなる。このため、外側カバー５４の前方の端部の近傍における吸引力を、外側カバー５４の後方の端部の近傍における吸引力よりも強くすることができる。上記の構成によれば、集塵カバー２における吸引空気による吸引力を、局所的に強くすることができる。
【００３９】
１つまたはそれ以上の実施形態において、外側カバー５４は内側カバー５６に対して、左右方向（第１方向に直交する第２方向の例）にも傾動可能である。
【００４０】
外側カバー５４が内側カバー５６に対して直交する二方向に傾動可能である場合、外側カバー５４が内側カバー５６から最も遠ざかり、吸引流路６８の幅が最も広くなる位置、すなわち吸引流路６８の流路抵抗が最も低くなる位置を、周方向の任意の位置とすることが可能となる。上記の構成によれば、周方向の任意の位置における吸引力を、他の箇所における吸引力よりも強くすることができる。
【００４１】
１つまたはそれ以上の実施形態において、集塵カバー２は、外側カバー５４が内側カバー５６に対して傾動したときに、弾性復元力により、外側カバー５４の内側カバー５６に対する傾斜角度を小さくするように外側カバー５４を付勢する圧縮ばね６４をさらに備えている。
【００４２】
上記の構成によれば、外側カバー５４を内側カバー５６に対して傾斜させることで変化した吸引空気による吸引力を、圧縮ばね６４による弾性復元力を利用して、外側カバー５４が内側カバー５６に対して傾斜していない時の吸引空気による吸引力に、自動的に復帰させることができる。
【００４３】
上記の各実施例では、工具がグラインダ４であり、原動機がモータ１４であり、先端工具がダイヤモンドカップ６であり、先端工具保持部がスピンドル３２であり、カバーが集塵カバー２である場合を例として説明したが、工具は他の種類の工具であってもよいし、原動機は他の種類の原動機であってもよいし、先端工具は他の種類の先端工具であってもよいし、先端工具保持部は他の種類の先端工具保持部であってもよいし、カバーは他の種類のカバーであってもよい。また、上記の各実施例では、工具であるグラインダ４が、電源コード２４から交流電力を供給されて動作する構成について説明したが、これとは異なり、工具であるグラインダ４は、本体ハウジング８に取り付けられたバッテリから直流電力を供給されて動作する構成としてもよい。
【００４４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４５】
２      ：集塵カバー
４      ：グラインダ
６      ：ダイヤモンドカップ
８      ：本体ハウジング
１０    ：ギヤハウジング
１２    ：ベアリングボックス
１４    ：モータ
１６    ：出力軸
１８    ：ベアリング
２０    ：ベアリング
２２    ：電源回路
２４    ：電源コード
２６    ：スイッチ
２８    ：第１ベベルギヤ
３０    ：第２ベベルギヤ
３２    ：スピンドル
３４    ：ベベルギヤ
３６    ：ベアリング
３８    ：シャフトロック
４０    ：ベアリング
４２    ：ベアリング
４４    ：インナフランジ
４６    ：アウタフランジ
４８    ：ハウジング
５０    ：カバー取り付け部
５２    ：ベース
５４    ：外側カバー
５４ａ  ：外側カバー本体
５４ｂ  ：ノズル
５４ｃ  ：開口部
５４ｄ  ：平板部
５４ｅ  ：円錐台部
５４ｆ  ：円筒部
５４ｇ  ：ガイドピン
５６    ：内側カバー
５６ａ  ：開口部
５６ｂ  ：第１平板部
５６ｃ  ：半円筒部
５６ｄ  ：第１円筒部
５６ｅ  ：第２平板部
５６ｆ  ：円錐台部
５６ｇ  ：円筒部
５６ｈ  ：ストッパピン
５８    ：バンド
５８ａ  ：湾曲部
５８ｂ  ：平板部
５８ｃ  ：締結具
６０    ：ベースプレート
６０ａ  ：開口部
６０ｂ  ：平板部
６０ｃ  ：半円筒部
６０ｄ  ：ガイド孔
６２    ：シール部材
６４    ：圧縮ばね
６６    ：締結具
６８    ：吸引流路
【図１】
2020023006.tif 000003
【図２】
2020023006.tif 000004
【図３】
2020023006.tif 000005
【図４】
2020023006.tif 000006
【図５】
2020023006.tif 000007
【図６】
2020023006.tif 000008